(57)【要約】【課題】株情報提供サーバ１から顧客端末２ａに株価を通知する。【解決手段】顧客端末２ａで通知の対象となる銘柄を登録し、顧客端末２ａで銘柄の株価の上限値或いは下限値を登録し、所定の時間間隔で、顧客端末２ａから株情報提供サーバ１に、銘柄の株価の問い合わせを行い、銘柄の株価の上限値を越えた場合或いは下限値を下回った場合に、顧客端末２ａからアラートを発し、株情報提供サーバ１から顧客端末２ａに、銘柄の株を取引出来る画面を提示する。【選択図】　　　図１
2004094404.tif 000002
【特許請求の範囲】
【請求項１】
株価の情報を提供する株価提供サーバから、情報端末に株価を通知する株価通知方法であって、
前記情報端末にて前記通知の対象となる銘柄を登録するステップと、
前記情報端末にて前記銘柄の株価の上限値或いは下限値を登録するステップと、
所定の時間間隔で、前記情報端末から前記株価提供サーバに、前記銘柄の株価の問い合わせを行うステップと、
前記株価提供サーバにおける、前記銘柄の株価の上限値を越えた場合或いは下限値を下回った場合に、前記情報端末からアラートを発するステップと、
前記株価提供サーバから前記情報端末に、前記銘柄の株を取引出来る画面を提示するステップ
とを備えることを特徴とする株価通知方法。
【請求項２】
株価の情報を提供する株価提供サーバから、情報端末に株価を通知する株価通知方法であって、
前記株価提供サーバに、前記通知の対象となる銘柄を前記情報端末を通じて登録するステップと、
前記株価提供サーバに、前記銘柄の株価の上限値或いは下限値を前記情報端末を通じて登録するステップと、
前記銘柄の株価の上限値を越えた場合或いは下限値を下回った場合に、前記株価提供サーバから前記情報端末にメールを送信するステップと、
前記株価提供サーバから前記情報端末に、前記銘柄の株を取引出来る画面を表示するステップ
とを備えることを特徴とする株価通知方法。
【発明の詳細な説明】
【０００１】
【発明の属する技術分野】
本発明は、株価の情報を提供する株価提供サーバから、情報端末に株価を通知する株価通知方法に関する。
【０００２】
【従来の技術】
近年、コンピュータ、ＰＤＡ、携帯電話等の情報機器の普及に伴い、これらの情報機器を用いて、株取引を行うサービスがある。
【０００３】
これらのサービスの場合、現在保有している株の数、ユーザが指定した銘柄の価格などの情報を参照することができる。
【０００４】
しかし、これから購入する株の銘柄を検討している場合や、現在保有している株を売却したい場合などは、それらの株価の情報を逐次知りたいという要求がある。
【０００５】
【発明が解決しようとする課題】
しかし、現在では、指定した銘柄について、ポートフォリオを組み、パソコンなどを参照しながら逐一監視することができる。
【０００６】
この場合、ユーザは、情報機器を常に監視していなければならず、ユーザにとって酷である。
【０００７】
又、指定の銘柄の指定の金額幅をはずれた場合に、メール等で通知するサービスもある。しかし、これらは単なる情報提供に過ぎず、次に株を購入、売却しようとする場合は、改めて、証券会社のサイトにログインしなければならない。
【０００８】
従って本発明の目的は、ユーザにとって利便性の高い株価通知方法を提供することである。
【０００９】
【課題を解決するための手段】
上記課題を解決するために、本発明の第１の特徴に係る株価通知方法は、株価の情報を提供する株価提供サーバから、情報端末に株価を通知する株価通知方法に関する。即ち、本発明の第１の特徴に係る株価通知方法は、情報端末にて通知の対象となる銘柄を登録するステップと、情報端末にて銘柄の株価の上限値或いは下限値を登録するステップと、所定の時間間隔で、情報端末から株価提供サーバに、銘柄の株価の問い合わせを行うステップと、株価提供サーバにおける銘柄の株価の上限値を越えた場合或いは下限値を下回った場合に、情報端末からアラートを発するステップと、株価提供サーバから情報端末に、銘柄の株を取引出来る画面を提示するステップとを備えるであることである。
【００１０】
このような本発明の第１の特徴に係る株価通知方法によれば、情報端末上に常に最新の株価が表示され、指定した上限値或いは下限値を超えた場合に、アラートを表示し、更に株の取引画面に案内する。従って、顧客に株取引をスムーズに行わせることができるので、ビジネスチャンスを失うことがない。
【００１１】
本発明の第２の特徴に係る株価通知方法は、株価の情報を提供する株価提供サーバから、情報端末に株価を通知する株価通知方法に関する。即ち、本発明の第２の特徴に係る株価通知方法は、株価提供サーバに、通知の対象となる銘柄を情報端末を通じて登録するステップと、株価提供サーバに、銘柄の株価の上限値或いは下限値を情報端末を通じて登録するステップと、銘柄の株価の上限値を越えた場合或いは下限値を下回った場合に、株価提供サーバから情報端末にメールを送信するステップと、株価提供サーバから情報端末に、銘柄の株を取引出来る画面を表示するステップとを備えるであることである。
【００１２】
このような本発明の第２の特徴に係る株価通知方法によれば、所定の上限値或いは下限値を超えた場合にのみ株価を表示し、株の取引画面に案内する。従って、顧客は画面を常に見ている必要がなく、株価が表示されたタイミングでのみ画面を参照すれば良い。更に、顧客に株取引をスムーズに行わせることができるので、ビジネスチャンスを失うことがない。
【００１３】
【発明の実施の形態】
次に、図面を参照して、本発明の実施の形態を説明する。以下の図面の記載において、同一又は類似の部分には同一又は類似の符号を付している。
【００１４】
（第１の実施の形態）
本発明の第１の実施の形態の概略図を図１に示す。第１の実施の形態においては、顧客端末２ａの内部にインストールされたアプリケーションにより、顧客端末２ａの待受画面Ｐ１１において、株情報提供サーバ１の株価情報記憶装置１２に記録された銘柄の株価が提示される。更に、待受画面Ｐ１１にはテロップエリア１０１を備えており、例えば、平均株価や、株に関するニュースなどをテロップとして流して提示する。顧客端末２ａは、所定の時間間隔毎に株情報提供サーバ１を参照し、銘柄の株価を取得し、待受画面Ｐ１１に指定する。更に、所定の上限値を超えた場合或いは下限値を下回った場合は、アラート画面Ｐ１０２を表示する。例えば、「ＡＡＡ商事」が、「１５００円」を超えた時にアラートを表示するように設定していた場合、テロップエリア１０１に、「ＡＡＡ商事が１５００円を超えました」と提示する。更に、顧客端末２ａのバイブレータ機能を用いて顧客端末２ａ自身をふるわせたり、或いは、アラート画面Ｐ１０２の地色を白から赤に変更するなど、顧客の注意を引くように、アラートを発生する。
【００１５】
図２に、本発明の第１の実施の形態に係る株価通知システムのシステム構成図を示す。
【００１６】
本発明の第１の実施の形態に係る株価通知システムは、株情報提供サーバ１、顧客端末２ａ、２ｂ、２ｃ…、証券取引所サーバ３、通信ネットワーク４を備えている。
【００１７】
株情報提供サーバ１、顧客端末２ａ、２ｂ、２ｃ…。、証券取引所サーバ３は、通信ネットワーク４を介して互いに通信可能である。
【００１８】
証券取引所サーバ３は、各地に設けられた証券取引所が運営しているサーバであって、証券取引所で扱われている株の銘柄、価格などの情報が、随時発信されている。
【００１９】
株情報提供サーバ１は、一般的なコンピュータ等で構成され、証券取引所サーバ３から取得した株価の情報を、顧客端末２ａ、２ｂ、２ｃ…に送信するサーバである。
【００２０】
顧客端末２ａ、２ｂ、２ｃ…は、一般的なコンピュータ、携帯電話、ＰＤＡ等の情報機器であって、株情報提供サーバ１からの情報を表示する装置である。
【００２１】
以下、株情報提供サーバ１から顧客端末２ａに株価の情報を送信する場合について説明する。勿論、株情報提供サーバ１から顧客端末２ｂ、２ｃ…に送信する場合についても同様である。
【００２２】
株情報提供サーバ１の機能について詳述する。
【００２３】
本発明の第１の実施の形態に係る株情報提供サーバ１は、通知情報記憶装置１１、株価情報記憶装置１２、株保有情報記憶装置２０、銘柄登録手段１３、通知株価設定手段１４、アプリ作成手段１９、株価参照手段１５、株価更新手段１６、手続受付手段１７を備えている。
【００２４】
通知情報記憶装置１１は、顧客端末２ａに通知する株価の銘柄や、上限値、下限値などの情報を登録している記憶装置である。
【００２５】
株価情報記憶装置１２は、証券取引所サーバ３から取得した株価の情報を、随時記録している記憶装置である。
【００２６】
株保有情報記憶装置２０は、顧客が保有している株の数や、口座残高など、顧客の株の実取引に関する情報が登録されている。
【００２７】
銘柄登録手段１３は、顧客端末２ａが株価の通知を希望する銘柄を、通知情報記憶装置１１に登録する手段である。通知株価設定手段１４は、銘柄登録手段１３で登録した株価について、限界値を超えた場合にアラートを発生させる上限値或いは下限値を通知情報記憶装置１１に登録する手段である。
【００２８】
アプリ作成手段１９は、通知情報記憶装置１１などに登録した情報を考慮して、顧客端末２ａが、株情報提供サーバ１から株価の通知を受けることの出来るアプリケーションを作成する手段である。
【００２９】
株価参照手段１５は、顧客端末２ａからの、株価の参照の要請に応じて、通知情報記憶装置１１に登録された銘柄の株価を株価情報記憶装置１２を参照させる手段である。又このとき、株価の上限値、下限値を超えた場合は、顧客端末２ａにそのメッセージも合わせて送信する。
【００３０】
株価更新手段１６は、証券取引所サーバ３から取得した株価の情報を、株価情報記憶装置１２に登録する手段である。
【００３１】
手続受付手段１７は、顧客端末２ａから、株保有情報記憶装置２０を参照して、実際の株の売買等の取引を行う手続を受け付ける手段である。手続受付手段１７は、更に、図示しないが、実際の株の売買を行うサーバに接続するインタフェースとなる。
【００３２】
次に、顧客端末２ａの機能について詳述する。顧客端末２ｂ、２ｃ…についても同様の機能を備える。
【００３３】
顧客端末２ａは、問い合わせ設定記憶装置５１、表示情報記憶装置５２、アプリダウンロード手段６６、株価問い合わせ手段６１、表示手段６２、手続依頼手段６３を備えている。
【００３４】
問い合わせ設定記憶装置５１は、顧客端末２ａから、株情報提供サーバ１に株価を問い合わせる条件が登録されている記憶装置である。ここには、問い合わせる時間間隔が登録されている。更に、問い合わせる株の銘柄が登録されていても良い。
【００３５】
表示情報記憶装置５２は、株価が上限値或いは下限値を下回ったメッセージが、株情報提供サーバ１から送信された場合に、バイブレータ機能を起動する、待受画面のバックの色を変更する、などの情報が登録された記憶装置である。
【００３６】
アプリダウンロード手段６６は、株情報提供サーバ１のアプリ作成手段１９で作成されたアプリケーションをダウンロードし、顧客端末２ａにインストールする手段である。このとり、問い合わせ設定記憶装置５１や表示情報記憶装置５２に情報を登録する場合もある。
【００３７】
株価問い合わせ手段６１は、問い合わせ設定記憶装置５１に登録した問い合わせ間隔毎に、株情報提供サーバ１に株価を問い合わせ、株価を受信する手段である。予め、株情報提供サーバ１に登録した上限値、下限値を超えた場合は、その内容のメッセージも受信うる。
【００３８】
表示手段６２は、株価問い合わせ手段６１で問い合わせた株価を、顧客端末２ａに表示する手段である。このとき、株価問い合わせ手段６１において、予め設定された上限値或いは下限値を超えた株価であるメッセージを受信した場合は、表示情報記憶装置５２を参照して、アラートを表示するような表示画面を表示する。具体的には、画面の地色を変更したり、顧客端末２ａのバイブレータ機能を起動させたりする。
【００３９】
手続依頼手段６３は、株価の変動に応じて、実際に株を売買する手続をするためのインタフェースとなる。顧客端末２ａの手続依頼手段６３は、株情報提供サーバ１の手続受付手段１７に手続を依頼することにより、実際の取引を行うことができる。
【００４０】
図３は、第１の実施の形態における、顧客端末２ａと株情報提供サーバ１の情報の通信を示したシーケンス図である。
【００４１】
まず、株情報提供サーバ１の銘柄登録手段１３によって、顧客端末２ａから、通知情報記憶装置１１に、通知を希望する株の銘柄を登録する（ｄ１１）。更に、通知株価設定手段１４によって、顧客端末２ａから、通知情報記憶装置１１に、アラートを発生する条件となる株価の上限値或いは下限値を登録する（ｄ１２）。
【００４２】
次に、株情報提供サーバ１のアプリ作成手段１９によって、これらの情報を含んだアプリケーションを作成し（ｄ１３）、顧客端末２ａのアプリダウンロード手段６６により、アプリケーションをダウンロードさせ、更に、顧客端末２ａにインストールする（ｄ１４）。
【００４３】
又、顧客端末２ａによって、問い合わせ間隔を設定し、問い合わせ設定記憶装置５１に登録する（ｄ１５）。問い合わせ設定記憶装置５１に登録された間隔で、顧客端末２ａは、株情報提供サーバ１に株価の問い合わせを行う（ｄ１６乃至ｄ１８）。問い合わせを受信すると株情報提供サーバ１は、株価参照手段１５によって、通知情報記憶装置１１を参照して、参照するべき株の銘柄を取得し、更に、その銘柄の株価を、株価情報記憶装置１２から取得し、顧客端末２ａに送信する。
【００４４】
このとき、通知情報記憶装置１１に登録された下限値或いは上限値を超えるような場合は、その内容も合わせてメッセージに送信する（ｄ１９）。ここで、顧客端末２ａは、表示情報記憶装置５２を参照して、表示手段６２により、表示形態を変更する。
【００４５】
更に、顧客が株の取引を希望する場合は、手続依頼手段６３を経て株情報提供サーバ１の手続受付手段１７によって、株保有情報記憶装置２０に基づいて株取引を行う画面を導入する（ｄ２１）。
【００４６】
次に、図４乃至図９を参照して、本発明の第１の実施の形態に係る画面の遷移図を説明する。
【００４７】
まず、図４のＴＯＰ画面Ｐ１０１においては、証券会社の顧客に提示する様々な情報メニューが表示されている。例えば、株価情報、株主優待情報、株価ニュースなどのニュースなどのメニューから、顧客は希望するコンテンツをクリックする。
【００４８】
ここで、「マイ株価」をクリックすると、マイ株価メニュー画面Ｐ１０２が表示される。更に、ここの、「登録銘柄株価」をクリックすると、登録銘柄株価メニュー画面Ｐ１０３が表示され、ここで、株価の通知を希望する銘柄を登録することができる。
【００４９】
まず、銘柄登録手段１３によって顧客端末２ａに表示する画面の一例を説明する。
【００５０】
登録銘柄株価メニュー画面Ｐ１０３において、「株価自動表示」をクリックすると、株価自動表示メニュー画面Ｐ１０４が表示される。ここでは、表示機能の説明なども合わせて表示される。「株価ボード待受画面アプリはこちら」をクリックすると、本発明の第１の実施の形態に係る、アプリケーションによって株価の問い合わせを行うことができる。
【００５１】
株価自動表示メニュー画面Ｐ１０４の「株価ボード待受画面アプリはこちら」をクリックすると、株価ボードアプリメニュー画面Ｐ１０５が表示される。ここで、「銘柄の登録・削除・編集」をクリックすると、登録銘柄の登録・削除・編集画面Ｐ１０６が表示される。
【００５２】
続いて、図５のに示した、登録銘柄の登録・削除・編集画面Ｐ１０６から、「登録銘柄株価との連動」をクリックすると、登録銘柄株価との連動画面Ｐ１０７が表示される。ここでは、株価ボードに使いたい銘柄をチェックし、決定ボタンＢ１０１をクリックすると、連動結果画面Ｐ１０８が表示され、連動する銘柄が決定され、表示される。ここで、「メニューへ戻る」をクリックすると、株価ボードアプリメニュー画面Ｐ１０５の画面に戻る。
【００５３】
次に、通知株価設定手段１４によって顧客端末２ａに表示する画面の一例を説明する。
【００５４】
まず、株価ボードアプリメニュー画面Ｐ１０５の「トリガー様のデータの設定」を選択すると、データ設定画面Ｐ１１０が表示される。ここで、例えば「ＡＡ商事」をクリックすると、「ＡＡＡ商事」：用のトリガー用データ設定詳細画面Ｐ１１１が表示される。ここでは、「上回る時の設定値」として、ＡＡＡ商事の株価の上限値を、「下回る時の設定値」とし」下限値を設定することができる。
【００５５】
クリアーボタンＢ１０３をクリックすると入力した上限値及び下限値がクリアされる。又、決定ボタンＢ１０２がクリックされると、連動結果画面Ｐ１０８が表示され、登録が完了したことを通知する。
【００５６】
次に、アプリ作成手段１９によって、アプリケーションをダウンロードさせる場合の画面の一例を説明する。
【００５７】
株価ボードアプリメニューＰ１０５の「ダウンロード」をクリックすると、ダウンロード中画面Ｐ１１３が表示される。このときキャンセルボタンＢ１０４をクリックすると、ダウンロードが中断する。ダウンロードが完了すると、待受画面設定画面Ｐ１１４が表示される。ここで、「Ｙｅｓ」と記載された設定ボタンＢ１０５ａをクリックすると、待受画面として設定され、顧客端末２ａから、株価を問い合わせ、最新の株価を通知することができる。「Ｎｏ」と記載された設定ボタンＢ１０５ｂをクリックすると、待受画面に設定されない。
【００５８】
次に、顧客端末２ａにおいて、株価の通知される場合の画面の一例を表示する。
【００５９】
まず、株価ボード画面Ｐ２０１が表示される。ここには、予め登録した銘柄の株価が表示されている。この画面は、予め設定した時間間隔で、株価が更新される。「株価更新」をクリックすると、手動で株価が更新される。「メニュー」をクリックすると、株価ボードメニューＰ２０３がクリックされる。
【００６０】
ここで、「株価更新間隔設定」をクリックすると、株価更新間隔設定画面Ｐ２０２が表示される。ここで指定した時間間隔毎に、顧客端末２ａは株情報提供サーバ１に株価の問い合わせを行う。
【００６１】
「市況情報を見る」をクリックすると、市況情報画面Ｐ２０４が表示され、様々な市況状況を知ることができる。
【００６２】
「株価を更新する」をクリックすると、すぐに株価の問い合わせを行い、手動で最新の株価を取得することができる。
【００６３】
「トリガー通知値確認」をくりっくすると、トリガー通知値の確認画面Ｐ２０５が表示され、トリガー用データ設定詳細画面Ｐ１１１で設定したデータを確認することができる。
【００６４】
図９は、待受画面上に株価が通知されている状態の画面例である。予め設定した銘柄の株価が表示されており、例えば、「ＡＡＡ商事」の株価が上限値（１５００円）を上回った場合は、テロップとして表示される。又、更に、バイブレータ機能を起動しても良い。
【００６５】
本発明の第１の実施の形態によれば、顧客は常に株価を監視することができ、所定の上限値或いは下限値を超えた場合はアラート表示されるので、顧客は株の変動を把握しやすい。又、株価を表示するだけではなく、実際の取引の画面へ導入することにより、顧客の株の取引を容易にし、ビジネスチャンスを失うことなく、株取引に導くことができる。
【００６６】
本発明の第１の実施の形態においては、顧客端末２ａから株価問い合わせのメッセージのみを株情報提供サーバ１に送信し、株情報提供サーバ１が、通知情報記憶装置１１を参照して顧客端末２ａが登録している銘柄の株価を通知する方法で記載した。この方法においては、顧客端末２ａ及び株情報提供サーバ１との通信トラフィックが軽減され、アプリケーションの作成も容易であるメリットがある。
【００６７】
（第１の実施の形態の変形例）
顧客端末２ａの問い合わせ設定記憶装置５１、顧客端末２ａが問い合わせる銘柄が登録されており、顧客端末２ａから、株価を参照する銘柄を含んだメッセージを株情報提供サーバ１に送信して、株価を参照しても良い。更に、問い合わせ設定記憶装置５１に、株価の上限値、下限値を登録しておき、株情報提供サーバ１から受信した株価に応じて、上限値或いは下限値を超えているかを判定し、表示しても構わない。この場合、株情報提供サーバ１の銘柄登録手段１３で登録した銘柄の情報を、アプリ作成手段１９で作成するアプリの中に含まれていなければならない。この場合、顧客端末２ａと株情報提供サーバ１間の通信トラフィックが多くなり、銘柄の登録と顧客端末２ａにインストールするアプリケーションとの同期を行わなければならない。しかし、株情報提供サーバ１は、問い合わせのあった銘柄の株価のみを通知すれば良いので、株情報提供サーバ１のサーバ負荷を軽減することができる。
【００６８】
（第２の実施の形態）
本発明の第２の実施の形態の概略図を図１０に示す。第２の実施の形態においては、顧客端末２ａの内部にインストールされたアプリケーションにより顧客端末２ａの休眠中のアプリとしてバックグラウンドで機動している。一方、株情報提供サーバ１には、第１の実施の形態と同様に、顧客端末２ａが通知を希望する株価と、その上限値、下限値が登録されており、株価情報記憶装置１２を参照して、それらの上限値或いは下限値を超える場合はメール送信手段１８によって、顧客端末２ａにメールを送信し、休眠中の画面から、株価の表示の画面に切り替える。このとき、上限値或いは下限値を超えた情報をテロップ画面として表示するのが好ましい。
【００６９】
第２の実施の形態においては、メールに表示内容が記載されていても良いし、空のメールでも構わない。例えば、空のメールを受け取ったことにより、アプリケーションが株情報提供サーバ１に株価の問い合わせを行い、顧客端末２ａの画面に表示しても良い。
【００７０】
図１１に、本発明の第２の実施の形態に係る株価通知システムのシステム構成図を示す。第２の実施の形態に係る株価通知システムの構成要件は、図２に示した第１の実施の形態に係る株価通知システムのシステム構成図と同様であるので、説明を割愛する。
【００７１】
以下、株情報提供サーバ１から顧客端末２ａに株価の情報を送信する場合について説明する。勿論、株情報提供サーバ１から顧客端末２ｂ、２ｃ…に送信する場合についても同様である。
【００７２】
株情報提供サーバ１の機能について詳述する。
【００７３】
本発明の第２の実施の形態に係る株情報提供サーバ１は、通知情報記憶装置１１、株価情報記憶装置１２、株保有情報記憶装置２０、銘柄登録手段１３、通知株価設定手段１４、アプリ作成手段１９、メール送信手段１８、株価更新手段１６、株価参照手段１５、手続受付手段１７を備えている。
【００７４】
メール送信手段１８以外の機能については、第１の実施の形態と同様であるので説明を割愛する。
【００７５】
メール送信手段１８は、一定時間間隔毎に株価情報記憶装置１２を参照し、通知情報記憶装置１１に登録された銘柄の上限値或いは下限値を超えた場合に、メールを顧客端末２ａに送信して、株価の問い合わせを促す手段である。ここで、メールに表示内容が記載されていても良いし、空のメールでも構わない。例えば、空のメールを受け取ったことにより、アプリケーションが株情報提供サーバ１に株価の問い合わせを行い、顧客端末２ａの画面に表示しても良い。
【００７６】
次に、顧客端末２ａの機能について詳述する。顧客端末２ｂ、２ｃ…についても同様の機能を備える。
【００７７】
顧客端末２ａは、表示情報記憶装置５２、アプリダウンロード手段６６、メール受信手段６４、株価問い合わせ手段６１、表示手段６２、手続依頼手段６３を備えている。
【００７８】
メール受信手段６４、株価問い合わせ手段６１以外の機能については、第１の実施の形態と同様であるので説明を割愛する。
【００７９】
メール受信手段６４は、指定した銘柄の上限値或いは下限値を超えた場合に送信される株情報提供サーバ１からのメールを受信する手段である。
【００８０】
株価問い合わせ手段６１は、メール受信手段６４によってメールが受信されたのをきっかけに、株情報提供サーバ１に株価の問い合わせを行う。このとき、単にメールの内容を記載するだけでも構わない。
【００８１】
図１２は、第２の実施の形態における、顧客端末２ａと株情報提供サーバ１の情報の通信を示したシーケンス図である。
【００８２】
まず、株情報提供サーバ１の銘柄登録手段１３によって、顧客端末２ａから、通知情報記憶装置１１に、通知を希望する株の銘柄を登録する（ｄ３１）。更に、通知株価設定手段１４によって、顧客端末２ａから、通知情報記憶装置１１に、アラートを発生する条件となる株価の上限値或いは下限値を登録する（ｄ３２）。
【００８３】
次に、株情報提供サーバ１のアプリ作成手段１９によって、これらの情報を含んだアプリケーションを作成し（ｄ３３）、顧客端末２ａのアプリダウンロード手段６６により、アプリケーションをダウンロードさせ、更に、顧客端末２ａにインストールする（ｄ３４）。
【００８４】
次に、株情報提供サーバ１は、株価参照手段１５により株価情報記憶装置１２の株価を監視する（ｄ３５）。このとき、通知情報記憶装置１１に登録された上限値或いは下限値を超える株価になった場合は、変動通知のメールｄ３６を送信する。これをきっかけに、顧客端末２ａは、株価問い合わせ手段６１により、株情報提供サーバ１に株価の問い合わせを行う（ｄ３７）。更に、表示情報記憶装置５２を参照して、表示手段６２により表示の変更を行う（ｄ３８）。
【００８５】
更に、顧客が株の取引を希望する場合は、手続依頼手段６３を経て株情報提供サーバ１の手続受付手段１７によって、株保有情報記憶装置２０に基づいて株取引を行う画面を導入する（ｄ３９）。
【００８６】
本発明の第２の実施の形態によれば、顧客端末２ａにおいて、常に問い合わせを行う必要がないので、通信コストの削減を行うことができる。又、株価を表示するだけではなく、実際の取引の画面へ導入することにより、顧客の株の取引を容易にし、ビジネスチャンスを失うことなく、株取引に導くことができる。
【００８７】
（その他の実施の形態）
上記のように、本発明の最良の実施の形態によって記載したが、この開示の一部をなす論述及び図面はこの発明を限定するものであると理解すべきではない。この開示から当業者には様々な代替実施の形態、実施例及び運用技術が明らかとなろう。
【００８８】
本発明の実施の形態においては、Ｗｅｂページを用いて株情報提供サーバに情報を提供する様にしたが、顧客端末中のアプリケーションに通知を希望する銘柄や上限値、下限値等を登録しても良い。
【００８９】
この様な、本発明はここでは記載していない様々な実施の形態等を含むことは勿論である。従って、本発明の技術的範囲は上記の説明から妥当な特許請求の範囲に係る発明特定事項によってのみ定められるものである。
【００９０】
【発明の効果】
本発明によれば、ユーザにとって利便性の高い株価通知方法を提供することができる。
【図面の簡単な説明】
【図１】本発明の第１の実施の形態に係る概略図を示す図である。
【図２】本発明の第１の実施の形態に係る株価通知システムのシステム構成図である。
【図３】本発明の第１の実施の形態に係る顧客端末と株情報提供サーバの情報の通信を示したシーケンス図である。
【図４】本発明の第１の実施の形態に係る顧客端末に提示する画面の一例である。（その１）
【図５】本発明の第１の実施の形態に係る顧客端末に提示する画面の一例である。（その２）
【図６】本発明の第１の実施の形態に係る顧客端末に提示する画面の一例である。（その３）
【図７】本発明の第１の実施の形態に係る顧客端末に提示する画面の一例である。（その４）
【図８】本発明の第１の実施の形態に係る顧客端末に提示する画面の一例である。（その５）
【図９】本発明の第１の実施の形態に係る顧客端末に提示する画面の一例である。（その６）
【図１０】本発明の第２の実施の形態に係る概略図を示す図である。
【図１１】本発明の第２の実施の形態に係る株価通知システムのシステム構成図である。
【図１２】本発明の第２の実施の形態に係る顧客端末と株情報提供サーバの情報の通信を示したシーケンス図である。
【符号の説明】
１…株情報提供サーバ
２ａ、２ｂ…顧客端末
３…証券取引所サーバ
４…通信ネットワーク
１１…通知情報記憶装置
１２…株価情報記憶装置
１３…銘柄登録手段
１４…通知株価設定手段
１５…株価参照手段
１６…株価更新手段
１７…受付手段
１８…メール送信手段
１９…アプリ作成手段
２０…株保有情報記憶装置
５１…設定記憶装置
５２…表示情報記憶装置
６１…株価問い合わせ手段
６２…表示手段
６３…手続依頼手段
６４…メール受信手段
６６…アプリダウンロード手段
１０１…テロップエリア
【図１】
2004094404.tif 000003
【図２】
2004094404.tif 000004
【図３】
2004094404.tif 000005
【図４】
2004094404.tif 000006
【図５】
2004094404.tif 000007
【図６】
2004094404.tif 000008
【図７】
2004094404.tif 000009
【図８】
2004094404.tif 000010
【図９】
2004094404.tif 000011
【図１０】
2004094404.tif 000012
【図１１】
2004094404.tif 000013
【図１２】
2004094404.tif 000014